(57)【要約】【課題】  野球の運動時、特に投手の投球動作や野手の遠投動作におけるフォロースルー動作時の肩の回転のみならず、振りかぶりから球のリリースも含めた一連のメカニズムにおける上半身の動作による引きつれやつっぱり感を改善することができる野球用上衣を提供する。【解決手段】  前身頃パーツ１、脇パーツ２、袖下パーツ３、上部袖上パーツ４ａ、下部袖上パーツ４ｂ、後身頃パーツ５を縫着して形成する野球用上衣において、上部脇上パーツ４ａの縫着部を前身頃パーツ１の縫着位置に合わせた時、上部袖上パーツ４ａの縫着ライン４ａｃと前身頃パーツ１の縫着ライン１ａｃが、それぞれの縫着ラインよりはみ出て、上部袖上パーツ４ａと前身頃パーツ１が重なるように裁断した。【選択図】図５
2010133061.tif 000002
【特許請求の範囲】
【請求項１】
前身頃パーツ（１）、脇パーツ（２）、袖下パーツ（３）、上部袖上パーツ（４ａ）、下部袖上パーツ（４ｂ）、後身頃パーツ（５）を縫着して形成する野球用上衣において、
上部脇上パーツ（４ａ）の縫着部を前身頃パーツ（１）の縫着位置に合わせた時、上部袖上パーツ（４ａ）の縫着ライン（４ａｃ）と前身頃パーツ（１）の縫着ライン（１ａｃ）が、それぞれの縫着ラインよりはみ出て、上部袖上パーツ（４ａ）と前身頃パーツ（１）が重なるように裁断したことを特徴とする野球用上衣。
【請求項２】
脇パーツ（２）と袖下パーツ（３）との縫着ラインを縫着位置に合わせた状態で、脇パーツ下端部（２ａ）を後身頃パーツ側端部（５ｄ）の位置に合わせ、さらに袖下パーツ側端部（３ｂ）を後身頃パーツ（５）の縫着位置に合わせた時、脇パーツ（２）の肩上方側（３ｃ）が後身頃パーツ（５）に重なるように裁断したことを特徴とする野球用上衣。
【請求項３】
脇パーツ（２）と後身頃パーツ（５）との縫着ラインを縫着位置に合わせた状態で、前身頃パーツ（１）を前記２つのパーツの縫着位置に合わせた時の縫着ライン（１ｂｃ）が、後身頃方向に凸になる曲線とし、前記後身頃パーツ（５）が、体長方向の半分の位置から下端にかけて、体の横幅方向に順次幅広となり、前身頃パーツ（１）の体長方向の半分の位置から下端にかけての一部と縫着したことを特徴とする請求項１又は／及び請求項２に記載の野球用上衣。
【発明の詳細な説明】
【技術分野】
【０００１】
本発明は、投球や送球・遠投動作時の振りかぶりから球のリリース、フォロースルーにかけての一連の動作における肩の回転運動をスムーズにさせる野球用上衣に関するものである。
【背景技術】
【０００２】
従来の上衣は、前身頃と後身頃を人体両側部の脇線で縫い合わせ、脇線上部に袖を筒状に取り付け、縫着されていた。このような構成では、腕を大きく動かすと身頃が引っ張られて、特に上衣の裾を下衣の中に入れて下衣をベルト締めした場合では、腕の動きが阻害される。また、身頃がベルト上部にはみ出してたるみができるので、上衣の裾を下衣に入れ直さなければならないといった問題点があった。
【０００３】
そこで、これらの問題点を解消するために、各種工夫をした上衣が開示されている。例えば、本出願人により既に出願されている特許第３８６６６８９号は、野球の投手が投球する時や外野手が遠投する時のように、腕を大きく早く斜め方向に回転させる場合に、肩部分や後身頃の引きつれを防止する野球用上衣について開示されている。
しかし、上記に開示されている上衣は、野球用上衣としていまだ満足されておらず、投手の投球や外野手の遠投時の動作での腕の回転運動には十分に追従しないという問題があった。
また、特開２００６−１６１２１３号では、胸脇側部の立体を出す部分に位置する分割辺の部位を、出したい立体に応じて所定の曲線をもって積極的に突出させて形成し、前記分割辺ともう一方の分割辺を付き合わせ縫着することにより、前記分割辺の突出させた部位を隆起させ、同部位に所定の立体が得られるようにする技術に付いて開示されている。
特開２００４−２２５２２０号では、ヨーク片が、前身頃側に湾曲するように形成された上衣により袖部分の形状を人体の腕を自然な状態で垂下させた状態に近い形状で形成することができ、フィット感の向上を図るとともに、袖部分のシワの発生を抑制する上衣についての開示がされている。
しかしこれらの上衣は、上半身や腕の自然体での動きには好適に機能するが、野球用上衣として、投手の投球や外野手の遠投時の動作での腕の回転運動には追従しないという問題があった。
従って、野球用として好適な上衣を提供して欲しいという要求は依然として市場に存在している。
【０００４】
【特許文献１】特許第３８６６６８９号公報
【特許文献２】特開２００６−１６１２１３号公報
【特許文献３】特開２００４−２２５２２０号公報
【発明の開示】
【発明が解決しようとする課題】
【０００５】
そこで本発明は、野球の運動時に腕を回転させる時、特に投手の投球や外野手の遠投動作時の振りかぶりから球のリリース、フォロースルーにかけての一連の動作において、大きく早く腕を回転させても胸上部や背中の肩付近、後身頃腰部のつっぱり、引きつれが無く、腕をスムーズに回転できるようにする野球用上衣を提供することを目的とする。
【課題を解決するための手段】
【０００６】
本発明の野球用上衣は、前身頃パーツ１、脇パーツ２、袖下パーツ３、上部袖上パーツ４ａ、下部袖上パーツ４ｂ、後身頃パーツ５を縫着して形成する野球用上衣において、上部脇上パーツ４ａの縫着部を前身頃パーツ１の縫着位置に合わせた時、上部袖上パーツ４ａの縫着ライン４ａｃと前身頃パーツ１の縫着ライン１ａｃが、それぞれの縫着ラインよりはみ出て、上部袖上パーツ４ａと前身頃パーツ１が重なるように裁断したことを特徴とする。
【０００７】
次に、脇パーツ２と袖下パーツ３との縫着ラインを縫着位置に合わせた状態で、脇パーツ下端部２ａを後身頃パーツ側端部５ｄの位置に合わせ、さらに袖下パーツ側端部３ｂを後身頃パーツ５の縫着位置に合わせた時、脇パーツ２の肩上方側３ｃが後身頃パーツ５に重なるように裁断することが望ましい。
【０００８】
さらに、脇パーツ２と後身頃パーツ５との縫着ラインを縫着位置に合わせた状態で、前身頃パーツ１を前記２つのパーツの縫着位置に合わせた時の縫着ライン１ｂｃが、後身頃方向に凸になる曲線とし、前記後身頃パーツ５が、体長方向の半分の位置から下端にかけて、体の横幅方向に順次幅広となり、前身頃パーツ１の体長方向の半分の位置から下端にかけての一部と縫着することが望ましい。
【発明の効果】
【０００９】
上記のように本発明の野球用上衣は、前身頃上部と後身頃上部の肩周りのパーツを立体裁断し縫着しているので、腕の前後上下左右の運動を阻害しないだけでなく、実際の投球動作における斜め方向の運動を特に好適にする。また、後身頃の下部形状を横方向に広げることにより、投球動作における腰のねじれによるつっぱり感を防止することができ、投手の投球や外野手の遠投時等の振りかぶりから球のリリースも含め、フォロースルー動作時までの、一連のメカニズムにおける上半身の動作による引きつれやつっぱり感を改善することができる。
【発明を実施するための最良の形態】
【００１０】
以下、本発明の実施の形態を図面を参照して説明する。図１〜図５は本発明の野球用上衣の一実施形態を示す図であり、図６〜図１０は従来の野球用上衣の一実施形態である、本出願人が出願した特許第３８６６６８９号に開示の野球用上衣を示す図である。
【００１１】
図６に示す従来の野球用上衣は、左右の前身頃パーツ１１、左右の脇パーツ２１、左右の袖下パーツ３１、左右の袖上パーツ４１、後身頃パーツ５１を縫着して形成され、後身頃パーツ５１は上部後身頃パーツ５１ａ、下部後身頃パーツ５１ｂで形成される。前身頃パーツ１１は、図６、図７に示すように袖上パーツ４１、袖下パーツ３１および脇パーツ２１と縫着される。後身頃パーツ５１は、図８に示すように上部後身頃パーツ５１ａと下部後身頃パーツ５１ｂで構成され、上部後身頃パーツ５１ａは下部後身頃パーツ５１ｂと袖上パーツ４１に縫着される。下部後身頃パーツ５１ｂは上部後身頃パーツ５１ａ、袖下パーツ３１および脇パーツ２１と縫着される。
【００１２】
前記各パーツは図９に示すように裁断される。なお、本図の前身頃パーツ１１、袖上パーツ４１、袖下パーツ３１および脇パーツ２１は、野球用上衣の左側のパーツを示している。各パーツの縫着では、前身頃パーツ１１のＡ１１点と脇パーツ２１のＡ２１点と袖下パーツ３１のＡ３１点が一致するように縫着される。また、上部後身頃パーツ５１ａのＢ１１点と下部後身頃パーツ５１ｂのＢ２１点と袖下パーツ３１のＢ３１点が一致するように縫着される。
【００１３】
また、図１０（ａ）に示すように、上部後身頃パーツ５１ａと下部後身頃パーツ５１ｂの上下方向の中心線６を突き合わせた時、前記中心線６から左右に幅の約１／２の背幅の位置７まで、上部後身頃パーツ５１ａの下部のラインと下部後身頃パーツ５１ｂの上部のラインが突き合わされ、前記背幅の位置７から袖方向のラインが上部後身頃パーツ５１ａと下部後身頃パーツ５１ｂにそれぞれ重なるように形成されている。この上部後身頃パーツ５１ａの下部のラインと下部後身頃パーツ５１ｂの上部のラインを縫着することで、肩甲骨部分を立体形状としている。
【００１４】
また、図１０（ｂ）に示すように、脇パーツ２１と袖下パーツ３１との縫着ラインを合わせた状態で、脇パーツ２１の後身頃側端部２１ｂを下部後身頃パーツ５１ｂの縫着部に合わせた時、袖下パーツ３１の前記後身頃側端部２１ｂの縫着部から上方向に向かうライン３１ｃと、下部後身頃パーツ５１ｂに縫着されるライン５１ｃが、お互いに重なるように裁断されている。この袖下パーツ３１の前記後身頃側端部２１ｂの縫着部から上方向に下部後身頃パーツ５１ｂに縫着されるライン３１ｃと、下部後身頃パーツ５１ｂの前記後身頃側端部２１ｂの縫着部から上方向に袖下パーツ３１に縫着されるライン５１ｃを縫着することで、肩甲骨部分を立体形状にすることができる。
【００１５】
しかしながら上記の構成では、投手の投球や外野手の遠投等での、フォロースルーでの動作時には比較的好適であったが、振りかぶりから球のリリースにかけての動作時になお前身頃上部に突っ張り感や、引きつれを起こし、スムーズな投球動作が阻害されるものであった。
【００１６】
なぜならば、後身頃パーツ５１が、上部後身頃５１ａと下部後見頃５１ｂとの背幅の位置７において縫着して構成されているため、投手の投球や外野手の遠投等腕を大きく早く回転させると、背幅の位置７は何ら立体的形状を有さず生地に余裕が無く、また一枚の生地と比較すると縫着部分が伸縮性を阻害するため、つっぱり感や引きつれを起こし、肩または背中上部の動きが阻害されているからであった。
【００１７】
すなわち、上部後身頃５１ａと下部後身頃５１ｂの背幅の位置７以外を立体成型しただけの後身頃パーツ５１では、袖下パーツ３１と下部後身頃パーツ５１ｂの縫製部を立体的に形成することと合わせて、肩甲骨部分の上方向と横方向の空間は確保するものの、実際の投球時は腕の回転力が上衣の斜め方向にかかることとなるので、この実際の動作に追従した空間を有しないため、投球動作を阻害するものであった。
【００１８】
さらには、下部後身頃５１ｂの腰部には特別な配慮がされておれず、投球時の一連の動作で生じる腰のねじれにおいて、腰部の縫着ラインがつっぱり感や引きつれを起こしていた。
【００１９】
本発明の野球用上衣は、左右の前身頃パーツ１、左右の脇パーツ２、左右の袖下パーツ３、左右の上部袖上パーツ４ａ、左右の下部袖下パーツ４ｂ、後身頃パーツ５で形成される。
【００２０】
本発明の一実施形態の野球用上衣の前身頃パーツ１は、図１、図２に示すように上部袖上パーツ４ａ、袖下パーツ３、脇パーツ２および後身頃パーツ５と縫着される。
【００２１】
後身頃パーツ５は、図１、図３に示すように脇パーツ２、前身頃パーツ１に縫着される。
【００２２】
脇パーツ２は、図１、図３に示すように前身頃パーツ１、袖下パーツ３、上部袖上パーツ４ａ、下部袖上パーツ４ｂ及び後身頃パーツ５と縫着される。
【００２３】
前記各パーツは図４に示すように裁断される。なお、本図の前身頃パーツ１、上部袖上パーツ４ａ、下部袖上パーツ４ｂ、袖下パーツ３および脇パーツ２は、野球用上衣の左側のパーツを示している。各パーツの縫着では、前身頃パーツ１のＡ１点と脇パーツ２のＡ２点と袖下パーツ３のＡ３点が一致して図１、図２に示す前身頃下側側端部３ａの点となり、下部袖上パーツ４ｂのＡ４点と上部袖上パーツ４ａのＡ５点と袖下パーツ３のＡ３‘点が一致して図１、図２に示す前身頃上側端部３ｄの点となるように縫着される。
【００２４】
図５（ａ）に示すように、上部袖上パーツ４ａと前身頃パーツ１の縫着部において、上部脇上パーツ４ａの縫着部を前身頃パーツ１の縫着位置に合わせた時、上部袖上パーツ４ａの縫着ライン４ａｃと前身頃パーツ１の縫着ライン１ａｃが、それぞれの縫着ラインよりはみ出て、上部袖上パーツ４ａと前身頃パーツ１が重なるように裁断した。この上部袖上パーツ４ａの縫着ライン４ａｃと前身頃パーツ１の縫着ライン１ａｃを縫着することで、重なる生地部分が盛り上がり立体形状にすることができる。従って、平面的にパーツを縫製する以上に、投手の投球や野手の遠投時の、振りかぶりから球のリリースにかけての動作時に前身頃上部に突っ張り感や、引きつれの防止効果を向上することができる。
【００２５】
また、図５（ｂ）に示すように、脇パーツ２と袖下パーツ３との縫着ラインを縫着位置で合わせた状態で、脇パーツ下端部２ａを後身頃パーツ側端部５ｄの位置に合わせ、さらに袖下パーツ側端部３ｂを後身頃パーツ５の縫着位置に合わせた時、脇パーツ２の肩上方側３ｃが後身頃パーツ５に重なるように裁断している。この脇パーツ２の肩上方側３ｃの縫着部から上方向に後身頃パーツ５と縫着されるライン３ｅと、後身頃パーツ５の脇パーツ２の肩上方側３ｃから上方向に脇パーツ２に縫着されるライン５ｃとを縫着することで、重なる生地部分が盛り上がり、背中上部の肩甲骨部分から肩にかけての部分を立体形状にすることができる。従って、平面的にパーツを縫製する以上に、フォロースルー時の腕の回転で背中上部が曲がり、肩甲骨が持ち上がって後身頃パーツ５が引っ張られることを防止することができる。
【００２６】
なお、脇パーツ２の肩上方側３ｃは、図５（ｂ）に示すように円弧状としておくと、より一層立体的空間を形成することができる。さらには、脇パーツ２の肩上方側３ｃの円弧状の形状の曲率半径が小さくなるように裁断すると、後身頃パーツ５の肩部分の立体的空間を形成しやすくなる。
【００２７】
上記のようにパーツを裁断し、立体的に縫着することで、振りかぶりから球のリリースにかけての動作時さらにはフォロースルーまでの、投手や外野手の一連のスムーズな投球動作が可能となる。特には、上部脇上パーツ４ａの立体形状は振りかぶりから球のリリースにかけての動作時に、脇パーツ２の立体形状は、フォロースルーの動作時に、背中上部の肩周りと肩甲骨付近の動きに追従し、腕の動きを阻害することを防止出来る。さらには、脇パーツ２の袖下パーツ側端部３ｂから後方の脇パーツ肩上方側３ｃを肩甲骨の方向に長く伸びた位置になるように裁断することで、腕を回転させても、脇から背中方向の引きつれを防止することができる。
【００２８】
また、図１に示すように、脇パーツ２と後身頃パーツ５との縫着ラインを縫着位置に合わせた状態で、前身頃パーツ１を前記２つのパーツの縫着位置に合わせた時の縫着ライン１ｂｃが、後身頃方向に凸になる曲線としている。このように裁断することで、真っ直ぐに縫製ラインを裁断した時に比べて、前身頃パーツ１における腰部分の生地面積が増えるため、投球動作における腰の回転による前身頃パーツ１の伸張性が増加し、特に振りかぶり時に生じる前身頃の腰の回転方向の引きつれを低減させ、身頃がベルト上部にはみ出すことを抑制することができる。
【００２９】
さらには、図１、図２、図４に示すように、後身頃パーツ５が、体長方向の半分の位置から下端にかけて、体の横幅方向に順次幅広となり、前身頃パーツ１の体長方向の半分の位置から下端にかけての一部と縫着される。このように裁断することで、背幅とほぼ同様の幅に縫製ラインを裁断した時に比べて、後身頃パーツ５下部の形状を横方向に広げることにより、腰部分の生地面積が増えて縫製ラインがなくなるため、投球動作における特にリリースからフォロースルー時の腰の回転による後身頃パーツ５の伸張性が増加し、つっぱり感を防止することができる。
【００３０】
図８または図１０に示す従来の野球用上衣では、上部後身頃５１ａと下部後身頃５１ｂの背幅の位置７以外と、袖下パーツ３１と下部後身頃パーツ５１ｂを立体的に縫製し、投球時の背中の上方向と横方向の動きに対するつっぱり感を防止している。しかし、実際には腕は斜め方向に腕が回転するため、斜め方向に対しての動きが考慮されていなかった。本発明による野球用上衣では、図３または図５（ｂ）に示すように、脇パーツ２と後身頃パーツ５を立体的に縫着することで、実際の斜め方向の腕の回転に追従することができるようになり、つっぱり感を大きく解消させることができた。
【００３１】
また、従来の野球用上衣では、後身頃パーツ５１が上部後身頃５１ａと下部後見頃５１ｂとが縫着して構成されているため、投球時、縫着部分につっぱり感が生じていた。なぜならば、縫着部分が生地伸びを阻害すると同時に、背幅の位置７は立体的形状となっていないためである。そこで、上部後身頃５を１ピースとすることで、背中部分の縫製部での引きつれを防止できた。
【００３２】
さらには、従来の野球用上衣では、後身頃パーツ５１の下部形状が、背幅とほぼ同様の幅となっていたので、フォロースルー時に脇パーツ２１との縫着部分につっぱり感が生じていた。そこで、後身頃パーツ５下部の形状を横方向に広げることにより、腰部分の生地面積を増やしたので、投球動作における特にリリースからフォロースルー時の腰の回転による後身頃パーツ５の伸張性が増加し、つっぱり感を防止できた。
【００３３】
本発明の野球用上衣を一般的な材料で作成し、５名の男性野球選手に着用試験してもらった。比較は、従来例で示す特許３８６６６８９号を実施した野球用上衣であり、各々のパーツ形状と縫製方法以外は、全て同様の材料・方法で作成している。その結果、次の表１に示す官能評価が得られた。
【００３４】
【表１】
2010133061.tif 000003
（備考）評価の配点
５：比較品より明らかに良い。
４：比較品より良い。
３：比較品と同等。
２：比較品よりやや劣る。
１：比較品より明らかに劣る。
【００３５】
以上の結果から、本発明の野球用上衣は投球動作に追従し、一連の動きを阻害せず、着用感が良いことが確認できた。
【００３６】
従って、本発明品のようにパーツを裁断、縫着することで、従来の野球用上衣の問題点を解消することができ、投手の投球動作や野手の遠投動作におけるフォロースルー動作時の肩の回転のみならず、振りかぶりから球のリリースも含めた一連のメカニズムにおける上半身の動作による引きつれやつっぱり感を改善することができた。
【００３７】
さらに、脇パーツ２をストレッチ素材によって形成することで、より腕の回転による引っ張り力を小さくすることができ、より腕の動きを阻害することが無くなる。
【図面の簡単な説明】
【００３８】
【図１】本発明の野球用上衣の左袖側側面図。
【図２】本発明の野球用上衣の正面図。
【図３】本発明の野球用上衣の背面図。
【図４】本発明の野球用上衣のパーツの展開図。
【図５】（ａ）本発明の上部脇上パーツの縫着部を、前身頃パーツの縫着位置に合わせた状態の説明図。（ｂ）脇パーツと袖下パーツとの縫着ラインを縫着位置で合わせた状態で、脇パーツの縫着部を後身頃パーツの縫着位置に合わせた状態の説明図。
【図６】従来例の野球用上衣の左袖側側面図。
【図７】従来例の野球用上衣の正面図。
【図８】従来例の野球用上衣の背面図。
【図９】従来例の野球用上衣のパーツの展開図。
【図１０】（ａ）従来例の上部後身頃パーツと下部後身頃パーツの上下方向の中心ラインを突き合わせた状態の説明図。（ｂ）脇パーツと袖下パーツとの縫着ラインを合わせ、脇パーツの後身頃側端部を下部後身頃パーツの縫着部に合わせた状態の説明図。
【符号の説明】
【００３９】
１  前身頃パーツ、１ａｃ  前身頃パーツの縫着ライン、１ｂｃ  前身頃パーツの凸曲線となる縫着部ライン、２  脇パーツ、２ａ  脇パーツ下端部、３  袖下パーツ、３ａ  前身頃下側端部、３ｂ  袖下パーツ側端部、３ｃ  脇パーツ肩上方側、３ｄ  前身頃上側端部、３ｅ  脇パーツ肩上方側の縫着ライン、４ａ  上部袖上パーツ、４ａｃ  上部袖上パーツの縫着ライン、４ｂ  下部袖上パーツ、５  後身頃パーツ、５ｃ  後身頃パーツの縫着ライン、５ｄ  後身頃パーツ側端部、６  中心線、７  背幅の位置、１１  従来例における野球用上衣の前身頃パーツ、２１  従来例における野球用上衣の脇パーツ、２１ｂ  従来例における野球用上衣の後身頃側端部、３１  従来例における野球用上衣の袖下パーツ、３１ｃ  従来例における袖下パーツの縫着ライン、４１  従来例における野球用上衣の袖上パーツ、５１  従来例における野球用上衣の後身頃パーツ、５１ａ  従来例における野球用上衣の上部後身頃パーツ、５１ｂ  従来例における野球用上衣の下部後身頃パーツ、５１ｃ  従来例における下部後身頃パーツの縫着ライン。
【図１】
2010133061.tif 000004
【図２】
2010133061.tif 000005
【図３】
2010133061.tif 000006
【図４】
2010133061.tif 000007
【図５】
2010133061.tif 000008
【図６】
2010133061.tif 000009
【図７】
2010133061.tif 000010
【図８】
2010133061.tif 000011
【図９】
2010133061.tif 000012
【図１０】
2010133061.tif 000013